(57)【要約】【課題】  ＡＣＳ機能を備えた画像読取装置において、原稿の先端及び後端で発生するジター位置を特定して、その位置ではＡＣＳ機能を動作させないようにして、ＡＣＳ機能がモノクロ画像をカラー画像と誤判定することを防止する画像読取装置を提供する。【解決手段】  この画像読取装置３５０は、各種のセンサからの信号を制御するセンサ制御部３０１と、キーや表示部によりデータを入力する操作部３０６と、全体の制御を司る制御部３０２と、原稿を搬送するステッピングモータを駆動制御するステッピングモータ制御部３０３と、画像読取装置の副走査方向の有効画像領域を示すゲート信号１を生成するゲート信号１生成部３０４と、画像読取装置の副走査方向の有効画像領域を示すゲート信号２を生成するゲート信号２生成部３０５と、ゲート信号１、２の信号を処理する画像処理部３０８を備えて構成される。【選択図】  図３
2005080101.tif 000002
【特許請求の範囲】
【請求項１】
読み取った画像データがモノクロであるかカラーであるかを自動的に判別する自動カラー選択手段（ＡＣＳ）を備えた画像読取装置であって、
原稿の先端及び後端を検知する原稿検知手段と、該原稿検知手段による前記原稿の先端及び後端の検知信号に基づいて前記原稿の有効画像領域を示す信号を出力する副走査有効ゲート信号出力手段と、前記原稿の先端ショックジターが発生する時間に同期したゲート信号を発生する先端ショックジターゲート手段と、前記原稿の後端ショックジターが発生する時間に同期したゲート信号を発生する後端ショックジターゲート手段と、を備えたことを特徴とする画像読取装置。
【請求項２】
前記先端ショックジターゲート手段及び後端ショックジターゲート手段は、前記原稿の先端及び後端に発生する所定レベルのショックジターを十分包含する時間間隔のジターゲート信号を生成することを特徴とする請求項１に記載の画像読取装置。
【請求項３】
前記副走査有効ゲート信号出力手段により副走査有効ゲート信号がアサートされ、且つ前記先端ショックジターゲート手段及び後端ショックジターゲート手段により出力された各ジターゲート信号がネゲートされている領域において前記自動カラー選択手段により前記画像データがモノクロであるかカラーであるかを自動的に判別することを特徴とする請求項１又は２に記載の画像読取装置。
【請求項４】
前記読み取った画像データの副走査方向の変倍を行う場合、前記画像データの変倍率に応じて、前記副走査有効ゲート信号がアサートされると共に、前記先端ショックジターゲート手段及び後端ショックジターゲート手段により出力された各ジターゲート信号に所定の値を乗算することを特徴とする請求項１乃至３の何れか一項に記載の画像読取装置。
【発明の詳細な説明】
【技術分野】
【０００１】
本発明は、画像読取装置に関し、さらに詳しくは、原稿の先端及び後端のショックジターによる自動カラー選択手段（ＡＣＳ）の誤動作を防止する技術に関するものである。
【背景技術】
【０００２】
原稿自動給紙装置（ＡＤＦ）には、原稿台から原稿画像を読み込み口であるスリットガラスを介して読み込み済の原稿を溜めるトレイまで、原稿を搬送するためのメカ的な搬送経路が必要である。そして、この搬送経路上にあって原稿を誘導する部品として搬送コロ等がある。この搬送コロは、原稿の搬送速度に合わせてステッピングモータで原稿送り方向に回転している。しかしながら、現状の技術ではこの搬送コロに原稿の先端が突入する時、及び原稿の後端が搬送コロから抜け出す時に微量のショックが発生する。このショックが画像読取装置で読み込んでいる画像データに影響し、ショックジターとなって画像に現れることは知られている。
この画質の低下を抑制する従来技術として特開２００３−１８３７３公報には、原稿読み取り部の上流および下流位置にそれぞれ配設されたローラ対を用いて原稿を搬送することにより読み取った画像に対し、画像処理を実施する画像処理装置において、原稿が前記ローラ対に進入しまたはローラ対から離脱する際に発生する読み取りむらの発生部位を特定する手段と、特定された読み取りむらの発生部位に基づいて、読み取りむら発生部位と他の部位とで画像処理条件を変更して読み取り画像の画像処理を行う画像処理手段とを備えて画質の低下を抑制する技術について開示されている。
また、カラー複写機が普及し、モノクロだけでなくカラー画像も出力できるようになってきた。このような中で読み取った原稿がモノクロであるかカラーであるかを自動的に判定するＡＣＳ(オートカラーセレクト)機能が搭載されたカラー複写機が登場している。特開２００１−１１９５８９公報には、オートカラーセレクト(ＡＣＳ)を実行する際のプロダクティビティの低下を低減する技術について開示されている。それによると、スキャナ側において、画像読み取りスキャンを行なっている間にＡＣＳタスクが実行され、カラー原稿と判定されれば該情報がプリンタ側へ通知された後、ＡＣＳタスクは正常終了する。スキャン終了後、カラー判定がなされていなければ、白黒原稿である旨がプリンタ側へ通知される。以降、バックスキャンにより次の原稿に備えるとしている。
【特許文献１】特開２００３−１８３７３公報
【特許文献２】特開２００１−１１９５８９公報
【発明の開示】
【発明が解決しようとする課題】
【０００３】
特許文献１に開示されている従来技術は、ローラ対に進入しまたはローラ対から離脱する際に発生する読み取りむらの発生部位を特定し、特定された部位と他の部位の画像データの画像処理条件を変更するものであり、読み取りむらの発生によるＡＣＳ機能の誤判定の防止については言及していない。
また特許文献２に開示されている従来技術は、ＡＣＳ機能を実行する際のプロダクティビティの低下を低減する技術であって、微量のジターがＲＧＢ画像のグレーバランスを崩し、ＡＣＳ機能がモノクロ画像をカラー画像と誤判定してしまうという問題を解決していない。
本発明は、かかる課題に鑑み、ＡＣＳ機能を備えた画像読取装置において、原稿の先端及び後端で発生するジター位置を特定して、その位置ではＡＣＳ機能を動作させないようにして、ＡＣＳ機能がモノクロ画像をカラー画像と誤判定することを防止する画像読取装置を提供することを目的とする。
【課題を解決するための手段】
【０００４】
本発明はかかる課題を解決するために、請求項１は、読み取った画像データがモノクロであるかカラーであるかを自動的に判別する自動カラー選択手段（ＡＣＳ）を備えた画像読取装置であって、原稿の先端及び後端を検知する原稿検知手段と、該原稿検知手段による前記原稿の先端及び後端の検知信号に基づいて前記原稿の有効画像領域を示す信号を出力する副走査有効ゲート信号出力手段と、前記原稿の先端ショックジターが発生する時間に同期したゲート信号を発生する先端ショックジターゲート手段と、前記原稿の後端ショックジターが発生する時間に同期したゲート信号を発生する後端ショックジターゲート手段と、を備えたことを特徴とする。
本発明の画像読取装置は、ＡＣＳ機能を備えた従来の画像読取装置に、原稿の先端と後端で発生するショックジターの位置を検出するゲート信号を生成する手段を更に備えたものである。即ち、このゲート信号がアサートされている場合にはＡＣＳ機能を動作させないようにしてＡＣＳ機能の誤動作を防止するものである。
かかる発明によれば、ショックジターの位置を検出するゲート信号を生成して、その信号に同期してＡＣＳ機能を動作させないようにするので、簡単な回路構成で確実にＡＣＳ機能の誤動作を防止することができる。
請求項２は、前記先端ショックジターゲート手段及び後端ショックジターゲート手段は、前記原稿の先端及び後端に発生する所定レベルのショックジターを十分包含する時間間隔のジターゲート信号を生成することを特徴とする。
原稿の副走査方向全体に亘って各種のレベルのジターが存在する。そして原稿の先端と後端付近のジターのレベルが最も大きくなる。これがショックジターである。このショックジターが発生する位置は機械の構成から予め設定することができる。従って、そのショックジターを十分包含するようにショックジターが発生する前後の範囲をゲートする信号を生成する。
かかる発明によれば、ショックジターを十分包含するようにショックジターが発生する前後の範囲をゲートする信号を生成するので、確実にショックジターの範囲を除いてＡＣＳ機能を動作させることができる。
【０００５】
請求項３は、前記副走査有効ゲート信号出力手段により副走査有効ゲート信号がアサートされ、且つ前記先端ショックジターゲート手段及び後端ショックジターゲート手段により出力された各ジターゲート信号がネゲートされている領域において前記自動カラー選択手段により前記画像データがモノクロであるかカラーであるかを自動的に判別することを特徴とする。
ＡＣＳ機能は副走査有効ゲート信号がアサートされている範囲内のショックジターの範囲を除いて動作する必要がある。そこで本発明では、副走査有効ゲート信号と各ジターゲート信号を論理和し、副走査有効ゲート信号がアサートされ、且つ各ジターゲート信号がネゲートされている領域のみでＡＣＳ機能を動作させる。
かかる発明によれば、副走査有効ゲート信号がアサートされ、且つ各ジターゲート信号がネゲートされている領域のみでＡＣＳ機能を動作させるので、副走査有効ゲート信号がアサートされている区間で、ＡＣＳ機能が不必要な区間を確実に指定することができる。
請求項４は、前記読み取った画像データの副走査方向の変倍を行う場合、前記画像データの変倍率に応じて、前記副走査有効ゲート信号がアサートされると共に、前記先端ショックジターゲート手段及び後端ショックジターゲート手段により出力された各ジターゲート信号に所定の値を乗算することを特徴とする。
原稿の副走査方向の変倍は、原稿を駆動するモータの駆動量を変倍率に応じて変更すれば実現できる。このとき、各ジターゲートの幅も変倍率に応じた定数を乗じることにより可能である。
かかる発明によれば、各ジターゲートの幅を変倍率に応じた定数を乗じることにより求めるので、変倍率が変更された場合でも迅速に対応することができる。
【発明の効果】
【０００６】
以上記載のごとく請求項１の発明によれば、ショックジターの位置を検出するゲート信号を生成して、その信号に同期してＡＣＳ機能を動作させないようにするので、簡単な回路構成で確実にＡＣＳ機能の誤動作を防止することができる。
また請求項２では、ショックジターを十分包含するようにショックジターが発生する前後の範囲をゲートする信号を生成するので、確実にショックジターの範囲を除いてＡＣＳ機能を動作させることができる。
また請求項３では、副走査有効ゲート信号がアサートされ、且つ各ジターゲート信号がネゲートされている領域のみでＡＣＳ機能を動作させるので、副走査有効ゲート信号がアサートされている区間で、ＡＣＳ機能が不必要な区間を確実に指定することができる。
また請求項４では、各ジターゲートの幅を変倍率に応じた定数を乗じることにより求めるので、変倍率が変更された場合でも迅速に対応することができる。
【発明を実施するための最良の形態】
【０００７】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明に係る画像読取装置の外形を示す図である。この画像読取装置１５０は、オートドキュメントフィーダ装置（以下、ＡＤＦと記す）１０１と、読み取るべき原稿を置く原稿台１０２と、読み取られた原稿が排紙される原稿排紙台１０４と、原稿がジャムした時に取り出すための開閉カバー１０３と、スキャナ装置１０５とを備えて構成される。ＡＤＦ１０１は、原稿台１０２に置かれた複数の原稿を１枚ずつ搬送し、原稿排紙台１０４に排出する。スキャナ装置１０５は、ＡＤＦ１０１の下に位置し、ＡＤＦ１０１により搬送されてくる原稿を順次読み取り、デジタル画像データとして読み込む装置である。
図２はＡＤＦ１０１の詳細な構成を示す図である。このＡＤＦ１０１は、原稿を置くための原稿台２０１と、原稿台からスムースに送り出すためのガイド板２０２と、給紙ベルト２０３と、分離コロ２０４と、原稿を誘導する搬送路２０５と、搬送コロ２０６、２０９、２１０、２１１と、センサ制御部３０１の制御のもと、原稿の先端、後端を検知し制御部３０２に通知する原稿検知センサ２０７と、通して原稿の画像データが読み取られるスリットガラス２０８と、原稿が排紙される排紙台２１２とを備えて構成される。
給紙ベルト２０３と分離コロ２０４は、それぞれ逆回転し読み取るべき原稿を１枚ずつ給紙していく。すなわち、給紙ベルトは図２において右回転、分離コロも右回転するように制御し一番上の原稿のみが給紙できるように構成されている。次に２０５は原稿を誘導する搬送路であり、原稿は２０６の搬送コロによって搬送路２０５上を搬送される。２０７は原稿を検知する原稿検知センサである。原稿検知センサ２０７は図３のセンサ制御部３０１の制御のもと、原稿の先端、後端を検知し制御部３０２に通知する。２０８はスリットガラスである。このスリットガラス２０８を通して原稿の画像データが読み取られる。２０９、２１０、２１１もそれぞれ搬送コロである。スリットガラス２０８で読み取られた原稿は、これらの搬送コロの回転により順次、２１２の排紙台に排紙される。このような搬送コロによる原稿の搬送は、制御部３０２により、３０３のステッピングモータを回転させることにより制御される。
【０００８】
図３は画像読取装置の制御ブロック図である。この画像読取装置３５０は、各種のセンサからの信号を制御するセンサ制御部３０１と、キーや表示部によりデータを入力する操作部３０６と、全体の制御を司る制御部３０２と、原稿を搬送するステッピングモータを駆動制御するステッピングモータ制御部３０３と、画像読取装置の副走査方向の有効画像領域を示すゲート信号１を生成するゲート信号１生成部３０４と、画像読取装置の副走査方向の有効画像領域を示すゲート信号２を生成するゲート信号２生成部３０５と、ゲート信号１、２の信号を処理する画像処理部３０８を備えて構成される。
図４はスキャナ装置１０５の詳細な構成を示す。ＡＤＦ１０１によって搬送された原稿は、スリットガラス４０１を介して、例えばハロゲンランプから構成される照明ランプ４０２により露光される。４０３は複数の走査ミラーであり、光学走査ユニット４０４に収容され、原稿からの反射光をＣＣＤユニット４０６に導く。ＣＣＤユニット４０６は、原稿からの反射光をＣＣＤに結像させる結像レンズ４０５と、ＣＣＤから構成される撮像素子から構成されている。撮像素子からの画像信号出力は、例えば８ビットのデジタル画像データに変換された後、画像処理部４０７に入力され、各種の画像処理が行われる。またＡＤＦ１０１は、画像データと共に副走査方向の有効画像ゲート信号を生成する。副走査有効画像ゲート信号とは、画像データの副走査方向の有効な領域を示す信号である。
【０００９】
図５は副走査有効画像ゲート信号を示すタイムチャートである。図５のライン同期信号５０２は主走査方向の先頭基準信号である。副走査有効画像ゲート信号５０１は、このライン同期信号５０２で同期化されている。副走査有効画像ゲート信号５０１が例えばアクティブＬの場合、この信号がＬレベルの間のライン同期信号５０２の数が副走査の有効ライン数となる。例えば画像処理手段４０７は、この副走査有効画像ゲート信号５０１を検知して有効範囲のみ画像処理を施すような回路構成になっている場合が多い。
ＡＤＦ１０１における副走査有効画像ゲート信号５０１は、図２で示したように原稿検知センサ２０７によって生成される。例えば、原稿が原稿検知センサ２０７の手前の搬送路上にある場合は、副走査有効画像ゲート信号５０１はＨレベルを保持し、原稿が原稿検知センサ２０７の真下を通過している場合は、Ｌレベルを保持し、さらに原稿の後端が原稿検知センサ２０７を通過すると又Ｈレベルに戻るといった仕様にすることもできる。但し、原稿検知センサ２０７の取り付け位置と原稿画像の読み取り口であるスリットガラス２０８の取り付け位置がメカ的な制約により異なる場合、画像データ５００の有効範囲５０３と副走査有効画像ゲート信号５０１の位置関係もずれてしまう。
図６はこのずれている副走査有効画像ゲート信号を示すタイムチャートである。副走査有効画像ゲート信号（１）５０７はずれたゲート信号である。実際に副走査有効画像ゲート信号として使用する場合には、図６の副走査有効画像ゲート信号（２）５０８で示すように有効画像データ５０５と同期を合わせるように、副走査有効画像ゲート信号（１）５０７をａの時間遅延させるか、或いは副走査有効画像ゲート信号（１）５０７を基準にして、カウンタ、コンパレータ等の簡単な回路で副走査有効画像ゲート信号（２）５０８を生成する必要がある。
図７は原稿先端部のショックジターを説明する図である。７０１は読み込んだ原稿である。７０２、７０５は原稿を搬送する搬送コロである。７０３は、原稿の先端を検知する原稿検知センサである。７０４は原稿を読み取り口であるスリットガラスである。図７においては、原稿７０１が搬送コロ７０２によって搬送され、原稿先端が画像読み取り口であるスリットガラス７０４を通過し、その後一番最初の搬送コロ７０５に到達した場合の図である。この瞬間、搬送コロ７０５と原稿先端との間に多少のぶつかりが生じる。このぶつかりが振動となって、スリットガラス７０４と通して、スキャナ装置１０５で読み取る画像データの異常の原因となっている。つまり、搬送コロ７０５へ原稿７０１がぶつかることにより、画像データに副走査方向のＲＧＢの位置ズレが生じてしまうのである。この位置ズレにより、例えばＲＧＢの値がほぼ同じであるグレー画像が色付いてしまう問題が生じている。
【００１０】
図８は原稿の後端に生ずるショックジターを説明する図である。８０１は原稿である。図８はスリットガラス８０４の直前の搬送コロ８０２を原稿８０１の後端が抜け出る瞬間を記したものである。この場合は、原稿８０１の後端が搬送コロ８０２により両側から圧力をかけられた状態から抜け出る瞬間であり、原稿８０１は、搬送コロ８０２の圧力から瞬時に開放され、原稿８０１の搬送速度に多少の振動が生じる。この振動がスリットガラス８０４から読み取られる画像データに異常を引き起こしている。このような原稿先端後端の異常画像が、読取位置から前後にある搬送コロの位置関係で特定の固定位置に発生している。
図９は、例えばＡ４原稿をＡＤＦに通した場合のＲＧＢ画像データの位置ズレ度合いを示したグラフである。横軸がＡ４Ｙの先端からの位置を示し、縦軸が位置ズレ量を示している。図９においては、４ラインを超える位置ズレ個所がａ，ｂの２箇所ある。これは、原稿の先端のショックジターと後端のショックジターを示している。
次にＡＣＳ機能について説明する。ＡＣＳとは、オートカラーセレクトの頭文字をとった名称である。ＡＣＳは原稿画像がモノクロ画像であるか、カラー画像であるかを自動的に検知する機能である。原稿画像に少しでもカラー画像が含まれていると、その原稿はカラー原稿であると判断する。またＡＣＳは、原稿のＲＧＢデータをそれそれの値を読み取り、原稿全体の各画素毎にＲＧＢデータの値が同等の値をとっていれば、その原稿はモノクロ画像であると判定し、ＲＧＢデータ値がある程度異なる値をとっている画素があれば、その原稿にはカラー画像が含まれていると判定する。しかし、ショックジターが発生すると画素毎のＲＧＢデータが比較的同等な値を持つモノクロ画像の原稿であっても、ＲＧＢのバランスが崩れ、カラー画像と判定してしまう問題がある。本ＡＣＳ機能は、ある程度の位置ズレを予測して回路を構成しており多少の位置ズレは特に問題としない。しかしながら、図９に示すように位置ズレ量が４ラインを超えるようなショックジターａ，ｂが発生した場合、モノクロ画像であったとしても、位置ズレのためにＲＧＢのバランスが崩れカラーデータと判断してしまう。本発明は、この位置ズレ部分がＡＣＳ機能に悪影響を与えることを回避する画像読取装置を提供することである。
【００１１】
図１０は搬送コロの位置と、原稿検知センサと、画像読み取り口のスリットガラスの位置関係を表す図である。原稿１００１の先端がぶつかる搬送コロ１００４の位置と、原稿検知センサ１００２と、画像読み取り口のスリットガラス１００３の位置が予めメカ的に決まっているので、その相対関係を求めれば画像上に生じるショックジターの位置も予測することができる。図１０に示す１００５の長さが原稿検知センサ１００２とスリットガラス１００３の画像読み取り位置の相対距離であり、１００６の長さがスリットガラス１００３の画像読み取り位置と搬送コロ１００４との相対距離である。
図１１は図１０の相対位置関係に基づくタイミングチャートである。図１１の副走査有効ゲート信号（１）５１３は、画像データの有効部分を示している。原稿先端ショックジターゲート信号（アクティブＨとする）５１４は、画像先端部のショックジターが発生する個所５１０にショックジターが充分包含されるよう生成されたゲート信号である。原稿後端ショックジターゲート信号（アクティブＨとする）５１５は、画像後端部のショックジターが発生する個所５１１にショックジターが充分包含されるよう生成されたゲート信号である。ショックジターゲート信号５１６は原稿先端ショックジターゲート信号５１４と原稿後端ショックジターゲート信号５１５をＯＲ処理した信号である。さらに副走査有効ゲート信号（２）５１７は副走査有効ゲート信号（１）５１３とショックジターゲート信号５１６をＯＲ処理した信号である。
ここで、ＡＣＳ機能は、副走査有効ゲート信号（１）５１３がアサートされている間のみ実行するように構成されているため、副走査有効ゲート信号（２）５１７をＡＣＳ機能を実現する画像処理手段１０５へ印加することにより、副走査有効ゲート信号（２）５１７がアサートされている領域のみモノクロ／カラー判定を実施し、アサートされていない領域、つまり画像の有効領域外５２０、及び原稿の先端５１０、後端５１１で発生するショックジターの領域５１８，５１９は、ＡＣＳ機能が稼動しないように構成することができる。
【００１２】
図１２は図１１の副走査有効ゲート信号（２）５１７を生成するための簡単な回路構成を示す図である。図１２のＡは原稿先端のショックジター発生開始アドレス、Ｂは原稿先端のショックジター発生終了アドレス、Ｃは原稿後端のショックジター発生開始アドレス、Ｄは原稿後端のショックジター発生終了アドレスを示している。即ち、ＯＲ回路５２０から図１１の原稿先端ショックジターゲート信号５１４が出力され、ＯＲ回路５２１から図１１の原稿後端ショックジターゲート信号５１５が出力され、ＯＲ回路５２２から図１１のショックジターゲート信号５１６が出力され、最終的にＯＲ回路５２３から図１１のショックジターゲート信号５１６が出力され副走査有効ゲート信号（２）５１７が出力される。
図１３はＡＣＳを実現する画像処理手段１０５の内部回路を示す図である。内部回路は前記したように副走査有効ゲート信号（２）５１７がアサートされている時のみ動作するように構成されなければならない。図１１の副走査有効ゲート信号（２）５１７がアサートされている時は、セレクタ５２４により有効画像データ５１２が印加され、アサートされていない時には０データが印加されるように構成した簡単な回路である。このように構成すれば、画像データとして問題のあるショックジター領域のデータをおデータに置き換えることができＡＣＳのモノクロ／カラー判定機能が問題無く稼動させることができる。尚、ショックジター部分は、原稿画像全体として非常に微量な領域であることを前提にし、その微量なショックジター領域のみにカラーデータが存在する確立がほんのわずかであることを基本としている。
【００１３】
図１４は副走査方向を変倍した場合のショックジターゲート信号の生成方法を示すタイミングチャートである。ＡＤＦには副走査方向の拡大、縮小といった機能がある。この場合、ＡＤＦの搬送コロを動かすステッピングモータの速度を制御することにより、原稿の搬送スピードを変化させ、拡大、縮小画像を得ることができる。この場合のショックジターゲート信号の生成方法としては、図１１のショックジターゲート信号５１６を生成するためのショックジター領域を示すアドレスＡ、Ｂ、Ｃ、Ｄの値にそれぞれ変倍率を乗算した値に置き換えるだけで生成することが可能である。その結果が拡大率Ｍ倍時の副走査有効ゲート信号（２）５１７である。また図１１でのショックジターアドレスＡ、Ｂ、Ｃ、ＤをそれぞれＭ倍した値が図１４でのショックジター領域のアドレスとなる。図３の３０６は、変倍率等の入力できる操作部である。本操作部３０６から入力された変倍率により演算部３０７で演算されたショックジター位置が図３のゲート信号２生成部３０５で生成される。この信号が画像処理部３０８に印加され、変倍時においても画像処理部３０８に対してショックジターによる異常画像の入力が回避される。このような安価で簡単な構成により、ＡＤＦによるショックジターの影響によるＡＣＳの誤判定を無くすことが可能である。
【図面の簡単な説明】
【００１４】
【図１】本発明の画像読取装置の外形を示す図である。
【図２】本発明のＡＤＦ１０１の詳細な構成を示す図である。
【図３】本発明の画像読取装置の制御ブロック図である。
【図４】本発明のスキャナ装置１０５の詳細な構成を示す図である。
【図５】本発明の副走査有効画像ゲート信号を示すタイムチャートである。
【図６】本発明のずれている副走査有効画像ゲート信号を示すタイムチャートである。
【図７】本発明の原稿先端部のショックジターを説明する図である。
【図８】本発明の原稿の後端に生ずるショックジターを説明する図である。
【図９】Ａ４原稿をＡＤＦに通した場合のＲＧＢ画像データの位置ズレ度合いを示した図である。
【図１０】本発明の搬送コロの位置と、原稿検知センサと、画像読み取り口のスリットガラスの位置関係を表す図である。
【図１１】本発明の図１０の相対位置関係に基づくタイミングチャートである。
【図１２】本発明の図１１の副走査有効ゲート信号（２）５１７を生成するための簡単な回路構成を示す図である。
【図１３】本発明のＡＣＳを実現する画像処理手段１０５の内部回路を示す図である。
【図１４】本発明の副走査方向を変倍した場合のショックジターゲート信号の生成方法を示すタイミングチャートである。
【符号の説明】
【００１５】
３０１  センサ制御部、３０２  制御部、３０３  ステッピングモータ制御部、３０４  ゲート信号１生成部、３０５  ゲート信号２生成部、３０６  操作部、３０７  演算部、３０８  画像処理部
【図１】
2005080101.tif 000003
【図２】
2005080101.tif 000004
【図３】
2005080101.tif 000005
【図４】
2005080101.tif 000006
【図５】
2005080101.tif 000007
【図６】
2005080101.tif 000008
【図７】
2005080101.tif 000009
【図８】
2005080101.tif 000010
【図９】
2005080101.tif 000011
【図１０】
2005080101.tif 000012
【図１１】
2005080101.tif 000013
【図１２】
2005080101.tif 000014
【図１３】
2005080101.tif 000015
【図１４】
2005080101.tif 000016